(57)【要約】      （修正有）【課題】打球ワイヤーの張力を調節することによって、ゴルフ者に及ぼす衝撃及び飛距離を調整し、場所に関係なく誰でもゴルフを楽しむことができるソフトゴルフクラブ用ヘッドを提供する。【解決手段】ソフトゴルフクラブ用ゴルフヘッド１０は、中央に打球空間が形成されるように外周縁に一定の厚さで、前記外周縁に複数の挿入孔が形成されたボディー１１０と、前記ボディーの何れか一側に形成され、シャフト２の下端が挿入固定されるように挿入孔が形成されたシャフトハウジング１２０と、前記ボディーに形成される複数の挿入孔のうち、何れかの挿入孔に一端が固定され、残りの一つの対応する挿入孔に固定され、前記ボディーの打球空間に打球面を形成する少なくとも一つ以上の打球ワイヤー１４０と、前記ボディーのどの一側に設けられ、少なくとも一つ以上の打球ワイヤーの一端を締め又は緩めて、打球面の張力を調節する張力調節ねじとで構成される。【選択図】図１
2009034449.tif 000002
【特許請求の範囲】
【請求項１】
上端に把持部が形成されたシャフトと、前記シャフトの下端に結合され、ゴルフボールの打撃面が形成されたヘッドと、で構成されたソフトゴルフクラブにおいて、
前記ヘッドは、
中央に打球空間が形成されるように外周縁に一定の厚さで、前記外周縁に複数の挿入孔が形成されたボディーと、
前記ボディーの何れか一側に形成され、シャフトの下端が挿入固定されるように挿入孔が形成されたシャフトハウジングと、
前記ボディーに形成されるものの、複数の挿入孔のうち、何れかの挿入孔に一端が固定され、残りの一つの対応する挿入孔に固定され、前記ボディーの打球空間に打球面を形成する少なくとも一つ以上の打球ワイヤーと、
前記ボディーのどの一側に設けられるものの、少なくとも一つ以上の打球ワイヤーの一端を締め又は緩めて、前記打球ワイヤーにより形成された打球面の張力を調節する張力調節ねじと、で構成されることを特徴とするソフトゴルフクラブ用ゴルフヘッド。
【請求項２】
前記ボディーに形成された複数の挿入孔各々には、打球ワイヤーに形成された打球面の打撃衝撃により挿入孔と打球ワイヤーとの接触面に伝達されるせん断応力を最小化するためのバンパーが形成されていることを特徴とする請求項１に記載のソフトゴルフクラブ用ゴルフヘッド。
【請求項３】
前記ボディーの外周面には、挿入孔が外周面で一定の深さに陥没された状態で形成されるように顎空間が形成されることを特徴とする請求項１又は２に記載のソフトゴルフクラブ用ゴルフヘッド。
【請求項４】
前記ヘッドは、一般ゴルフクラブのヘッドのような形状を維持するために、ロフト角ｌ１及びライ角ｌ２が形成されることを特徴とする請求項１又は２に記載のソフトゴルフクラブ用ゴルフヘッド。
【請求項５】
上端に把持部が形成されたシャフトと、前記シャフトの下端に結合され、ゴルフボールの打撃面が形成されたヘッドと、で構成されたソフトゴルフクラブにおいて、
前記ヘッドは、
中央に打球空間が形成されるように外周縁に一定の厚さで、前記外周縁に複数の挿入孔が形成されたボディーと、
前記ボディーの何れかの一側に形成されて、シャフトの下端が挿入固定されるように挿入孔が形成されたシャフトハウジングと、
前記ボディーの前面に打球面が形成されるように打球膜が形成されるものの、前記打球膜の終端は、固定手段により前記ボディーに固定されるように構成されることを特徴とするソフトゴルフクラブ用ゴルフヘッド。
【請求項６】
前記ボディーの外周面には、打球膜によりゴルフボールを打撃する時に前記ボディーの外周面と打球膜との間で発生するせん断応力を最小化するためにコーティング層が形成されていることを特徴とする請求項５に記載のソフトゴルフクラブ用ゴルフヘッド。
【請求項７】
前記ボディーの何れかの一側には、ゴルフ者のスイングが容易なように重心部が形成されていることを特徴とする請求項１、請求項２、請求項５、請求項６のうち、何れか１項に記載のソフトゴルフクラブ用ゴルフヘッド。
【請求項８】
前記ヘッドは、成形性及び強度が優れた合成樹脂でボディーとシャフトハウジングを形成するものの、
前記ボディーの背面の下端には、ゴルフ者のスイングが容易なように、重量体である重心体がインサート射出成形されることを特徴とする請求項１、請求項２、請求項５、請求項６のうち、何れか１項に記載のソフトゴルフクラブ用ゴルフヘッド。
【発明の詳細な説明】
【技術分野】
【０００１】
本発明は、ソフトゴルフクラブ用ヘッドに関し、さらに詳細には、ヘッドのボディーに複数の打球ワイヤーを固定させて打球面を形成し、前記打球ワイヤーの一端に張力調節ねじを構成して、前記張力調節ねじを介した打球ワイヤーの張力を調節することによって、ゴルフ者に及ぼす衝撃及び飛距離を調整することで、場所に関係なく誰でもゴルフを楽しむことができる大衆性を極大化するソフトゴルフクラブ用ヘッドに関する。
【背景技術】
【０００２】
一般に、ゴルフ（ｇｏｌｆ）とは、コース上に停止してあるボールをクラブで打って決まったホールに入れるまでのかかった打数で優劣を競う競技であって、競技コースは、野原、丘陵、山林など６６万〜１００万ｍ２の広い地域を利用して定型されており、海浜に造られるシーサイドコースと内陸に造られるインランドコースがある。
【０００３】
また、ゴルフ道具には、ゴルフクラブとゴルフボールがあり、前記ゴルフクラブ（「ｇｏｌｆ  ｃｕｌｂ」又は「ゴルフドライバ」ともいう）は、ゴルフボールを打撃する打球面のヘッド部分と上端が把持されるシャフト部分とに分けられ、前記ヘッドの形状と材質によってウッド（ｗｏｏｄ）、アイアン（ｉｒｏｎ）、パター（ｐｕｔｔｅｒ）などの３つに区分し、前記ヘッドの種類によってそれぞれの用途と機能を有する。
【０００４】
前記ウッドは、ゴルフクラブのうち、最も長い飛距離を持つものであって、到達できない遠くの距離にホールがあるとき、距離に合せて使用することに適しており、アイアンは、ホールと適正距離が残ったときに使用し、パターは、ホールと僅かな距離が残ったときに使用することに適している。
【０００５】
また、アイアンの一種であるウェッジ（ｗｅｄｇｅ）は、ボールを高く飛ばすことができるゴルフクラブである。
【０００６】
しかしながら、上記のように構成されたゴルフクラブは、主に成人が楽しむことができる基準であって、これは老弱者又は障害者のような特定人が使用するには極めて不便であるという問題点があった。
【０００７】
すなわち、老弱者の場合、ゴルフボールを打撃するとき、ヘッドとゴルフボールとの間で発生する衝撃がシャフトに伝達されて、結局、把持する手首に無理を与えることができるという安全上の問題点があった。
【０００８】
また、一般ゴルフ場は面積が広いから、老弱者又は障害者が決まったゴルフコースを回りながらゴルフを楽しむには体力的な問題があるため、限界を有するという問題点があった。
【０００９】
このような上記の問題点を解決するための方案として、下記の特許文献１のように、一般ゴルフ場コース規格と同じ条件を有し、その面積を縮小させて老弱者又は障害者がゴルフを楽しむことができるようにし、なお、上記の縮小したゴルフ競技場でゴルフボールの飛距離を下げるための方案として、下記の特許文献２のゴルフクラブを利用することによって、老弱者又は障害者がゴルフを楽しむことができるようにした。
【００１０】
しかしながら、従来に提案されたソフトゴルフクラブは、図示するように、ロフト角（ｌｏｆｔ  ａｎｇｌｅ）又はライ角（ｌｉｅ  ａｎｇｌｅ）が全く形成されていないため、上記で提案したゴルフクラブを利用してゴルフを楽しむ場合、単純にゴルフボールを打つという感じの他に、ゴルフ競技の感じを有することができないという限界があるという問題点があった。
【００１１】
したがって、上記で提案されたゴルフクラブを利用したゴルフ競技は、適正なゴルフクラブに応じるゴルフボールの飛距離によってゴルフクラブを選択するか、又は打数を減らすことができるゴルフのみの感じが排除されているから、ゴルフ競技中、退屈さと単純さによりゴルフ運動の効果が喪失するという問題があった。
【００１２】
【特許文献１】韓国公開特許公報第２００３−９００２８号
【特許文献２】韓国特許公報第６６４３５４号
【発明の開示】
【発明が解決しようとする課題】
【００１３】
本発明は、上述の問題点に鑑みてなされたもので、その目的は、ソフトゴルフクラブに用いられるヘッドにロフト角及びライ角を形成し、また前記ヘッドに構成される打球面の張力をゴルフ者の身体条件に応じて調節可能であるから、老弱者又は障害者など身体条件に関係なくゴルフを楽しむことができる大衆性を極大化するソフトゴルフクラブ用ヘッドを提供することにある。
【課題を解決するための手段】
【００１４】
上記の目的を達成すべく、本発明のソフトゴルフクラブ用ゴルフヘッドは、上端に把持部が形成されたシャフトと、前記シャフトの下端に結合され、ゴルフボールの打撃面が形成されたヘッドと、で構成されたソフトゴルフクラブにおいて、前記ヘッドは、中央に打球空間が形成されるように外周縁に一定の厚さで、前記外周縁に複数の挿入孔が形成されたボディーと、前記ボディーの何れか一側に形成され、シャフトの下端が挿入固定されるように挿入孔が形成されたシャフトハウジングと、前記ボディーに形成されるものの、複数の挿入孔のうち、何れかの挿入孔に一端が固定され、残りの一つの対応する挿入孔に固定され、前記ボディーの打球空間に打球面を形成する少なくとも一つ以上の打球ワイヤーと、前記ボディーのどの一側に設けられるものの、少なくとも一つ以上の打球ワイヤーの一端を締め又は緩めて、前記打球ワイヤーにより形成された打球面の張力を調節する張力調節ねじと、で構成されることを特徴とする。
【００１５】
本発明において、ボディーに形成された複数の挿入孔各々には、打球ワイヤーに形成された打球面の打撃衝撃により挿入孔と打球ワイヤーとの接触面に伝達されるせん断応力を最小化するためのバンパーが形成され、ボディーの外周面には、挿入孔が外周面で一定の深さに陥没された状態で形成されるように顎空間が形成され、ヘッドは、一般ゴルフクラブのヘッドのような形状を維持するために、ロフト角ｌ１及びライ角ｌ２が形成されることが好ましい。
【００１６】
本発明は、上端に把持部が形成されたシャフトと、前記シャフトの下端に結合され、ゴルフボールの打撃面が形成されたヘッドと、で構成されたソフトゴルフクラブにおいて、前記ヘッドは、中央に打球空間が形成されるように外周縁に一定の厚さで、前記外周縁に複数の挿入孔が形成されたボディーと、前記ボディーの何れかの一側に形成されて、シャフトの下端が挿入固定されるように挿入孔が形成されたシャフトハウジングと、前記ボディーの前面に打球面が形成されるように打球膜が形成されるものの、前記打球膜の終端は、固定手段により前記ボディーに固定されるように構成されることを特徴とする。
【００１７】
本発明において、ボディーの外周面には、打球膜によりゴルフボールを打撃する時に前記ボディーの外周面と打球膜との間で発生するせん断応力を最小化するためにコーティング層が形成されていることが好ましい。
【００１８】
本発明は、ボディーの何れかの一側には、ゴルフ者のスイングが容易なように重心部が形成され、ヘッドは、成形性及び強度が優れた合成樹脂でボディーとシャフトハウジングを形成するものの、前記ボディーの背面の下端には、ゴルフ者のスイングが容易なように、重量体である重心体がインサート射出成形されることが好ましい。
【発明の効果】
【００１９】
本発明のソフトゴルフクラブ用ゴルフヘッドは、ソフトゴルフクラブに用いられるヘッドにロフト角及びライ角を形成し、また前記ヘッドに構成される打球面の張力をゴルフ者の身体条件に応じて調節できるため、老弱者又は障害者など身体条件に関係なくゴルフを楽しむことができる大衆性を極大化するという効果がある。
【００２０】
なお、ゴルフボールの飛距離を短くすることで、ゴルフ競技場の規格もこれに合わせて減らすことができ、これにより室外だけでなく室内でもゴルフを楽しむことができるから、空間の制限性を克服するという効果がある。
【００２１】
また、特定人だけでなく、一般人も室内でも容易にゴルフボールを打撃できるから、実際グリーンでゴルフを楽しむような感じとともに、姿勢の校正を実施できるという効果がある。
【発明を実施するための最良の形態】
【００２２】
以下、本発明を添付した図面を参照して詳細に説明する。
【００２３】
（第１の実施の形態）
図１は、本発明に係るソフトゴルフクラブの斜視図であり、図２は、本発明の第１の実施の形態に係るソフトゴルフクラブ用ヘッドの拡大斜視図であり、図３は、本発明の第１の実施の形態に係るソフトゴルフクラブ用ヘッドの側面図であり、図４は、本発明の第１の実施の形態に係るヘッドの側断面図であって、これを参照すると、ソフトゴルフクラブ１は、上端に把持部が形成されたシャフト２と、前記シャフト２の下端に一方が挿入固定されるヘッド１０と、で構成される。
【００２４】
前記ヘッド１０は、一般的なゴルフクラブと同一又は類似した形状を有するようにロフト角ｌ１とライ角ｌ２が形成される。
【００２５】
もちろん、前記ロフト角ｌ１とライ角ｌ２は、一般的なゴルフクラブに形成されたロフト角ｌ１とライ角ｌ２と同一に形成されることが好ましく、一般的なゴルフクラブのヘッド種類に応じて、前記ロフト角ｌ１とライ角ｌ２が異なって形成されたことと同様に、前記第１の実施の形態に係るヘッド１０もこれと同一に形成されることが好ましく、また前記ヘッド１０の形状と一般的なゴルフクラブのヘッドと同一又は類似した形状に形成されることが好ましい。
【００２６】
また、前記ヘッドの形状に設けられるロフト角ｌ１とライ角ｌ２は、後述の第２及び第３の実施の形態にも同様に適用される。
【００２７】
前記第１の実施の形態に係るヘッド１０は、打球面が形成されるボディー１１０、及び前記ボディー１１０の何れか一方に構成され、シャフト２の下端が挿入固定されるように中央に挿入孔が形成されたシャフトハウジング１２０で構成される。
【００２８】
前記ボディー１１０は、中央に打球空間１１６が形成されるように、外周縁に一定の厚さが形成され、前記外周縁の側面の一定間隔には、一定深さに陥没されるものの、外周に顎空間１１２が形成され、前記顎空間１１２には複数の挿入孔１１４が形成される。
【００２９】
なお、前記ボディー１１０の何れかの一方には、ゴルフ者がスイングするときに遠心力によるスイングが容易なように重さ感が感じられるように重心部１１８が形成され、前記重心部１１８は、図示のように、ボディー１１０の背面の下端に一定の長さが突出するように形成されることが好ましい。
【００３０】
前記挿入孔１１４は、ボディー１１０の形状に応じて相互対応するように複数形成される。
【００３１】
また、前記複数の挿入孔１１４それぞれには、ゴルフボールを打撃するときに発生する衝撃を緩和させるためのバンパー１３０が構成され、前記バンパー１３０は、衝撃吸収が容易なゴム又はシリコンのような軟質の合成樹脂材で成形されることが好ましい。
【００３２】
前記ボディー１０には、打撃面を形成するための少なくとも一つ以上で構成された打球ワイヤー１４０が形成される。
【００３３】
前記打球ワイヤー１４０は、弾性力が優れた高弾力合成樹脂材又は金属材などの多様な材質が用いられることができる。
【００３４】
前記打球ワイヤー１４０は、前記ボディー１１０に形成された複数の挿入孔１１４に挿入されて、前記ボディー１１０に打球面を形成するものであって、図示のように、格子形状又は何れか一方向の一文字形及び斜線形を形成することができる。
【００３５】
なお、前記打球ワイヤー１４０は、１つのワイヤーで打球面を形成するか、又は複数のワイヤーで前記ボディー１１０に形成された挿入孔１１４の対応位置にワイヤーを挿入固定して形成できるものであって、ここでは後述の方法が用いられることが好ましい。
【００３６】
すなわち、複数の挿入孔のうち、相互対応する何れか１つの挿入孔１１４に前記打球ワイヤー１４０の一端が固定され、残りの１つの対応する位置の挿入孔１１４に打球ワイヤー１４０の他端が固定される方式により、前記ボディー１１０に複数の打球ワイヤー１４０が固定されることにより打球面が形成される。
【００３７】
そして、前記挿入孔１１４に固定される打球ワイヤー１４０は、前記複数の挿入孔１１４のそれぞれに構成されたバンパー１３０によりボディー１１０の面と直接接触されることを防止することによって、前記打球ワイヤー１４０を介して形成された打球面にゴルフボールが打撃される時に発生する衝撃が前記バンパー１３０に吸収されることから、前記打球ワイヤー１４０の損傷を防止する。
【００３８】
前記張力調節ねじ１５０は、ボディー１１０の何れか一方に構成されるものの、頭部１５２と、前記頭部１５２の下方に形成されたねじ部１５４とで構成され、前記頭部１５２には、別途の工具、すなわち、ドライバー又はランジなどが挿入される挿入溝が形成される。
【００３９】
なお、前記張力調節ねじ１５０のねじ部１５４には、打球ワイヤー１４０の一端が挿入固定されるようにする通孔１５６が形成される。
【００４０】
もちろん、ボディー１１０には、前記張力調節ねじ１５０のねじ部１５４が締結固定されるように、前記張力調節ねじ１５０と対応する位置に複数の締結孔１１９が形成される。
【００４１】
したがって、前記張力調節ねじ１５０のねじ部１５４が前記ボディー１１０の締結孔１１９に締結されるものの、前記ねじ部１５４に形成された通孔１５６を介してボディー１１０に構成された打球ワイヤー１４０の一方の終端に挿入固定されることによって、前記張力調節ねじ１５０の締め又は緩めによって、前記打球ワイヤー１４０は、一端が一側の挿入孔１１４が挿入固定された状態で他端の打球ワイヤー１４０が前記張力調節ねじ１５０の締め又は緩めによって張力が調節される。
【００４２】
図５は、図４の張力調節ねじの他の実施の形態を示す側断面図であり、図６は、図５のヘッド斜視図であって、これを参照すれば、前記張力調節ねじ１５０は、ボディー１１０の中央に形成された打球空間１１６の内周面に構成されることが好ましい。
【００４３】
上記のように構成されたソフトゴルフクラブは、ヘッド１０のボディー１１０に複数の打球ワイヤー１４０を介して形成された打球面を介して、ゴルフボールが打撃されるものの、打球ワイヤー１４０により打撃されたゴルフボールの飛距離は、一般的なゴルフクラブに比べて１／３程度の大きさを有することから、ソフトゴルフ場又は室内ゴルフ場において使用できる。
【００４４】
そして、前記打球面を形成した打球ワイヤー１４０は、挿入孔１１４に形成されたバンパー１３０によりゴルフボールの打撃時に発生する衝撃が前記バンパー１３０に一定量吸収されるので、ゴルフ者に及ぼす衝撃を最小化することによって、ゴルフ者の手首の損傷を防止することができる。
【００４５】
また、前記バンパー１３０によりボディー１１０の何れか一面と打球ワイヤー１４０との間の直接接触を防止することによって、ゴルフボールの打撃時に発生した衝撃により前記ボディー１１０の何れかの一面と打球ワイヤー１４０との間の接触によるせん断応力が発生してせん断されることを防止することによって、長時間使用できるようにする。
【００４６】
一方、ゴルフ者の条件、たとえば、老弱者又は障害者のように身体条件に応じてゴルフボールを打撃するときに感じられる衝撃に対して、手首などが損傷することを防止するために、張力調節ねじ１５０を緩めてボディー１１０に形成された打球ワイヤー１４０の張力を緩く形成することによって、ゴルフボールの打撃による衝撃を減少させて、損傷に対する安全性を維持するようにする。
【００４７】
又は、前記張力調節ねじ１５０を締めて前記打球ワイヤー１４０の張力を膨脹させることにより、ゴルフボールの打撃感じを高めて一般的なゴルフクラブでゴルフボールを打撃するような感じを与えることにより、一般人も使用でき、これは室内ゴルフ場又はソフトゴルフ場において姿勢の校正などに用いられることができる。
【００４８】
したがって、上記のように構成されたヘッドは、ある特定人に限定されず、老弱者又は障害者及び一般人が室内又はソフトゴルフ場などで容易にゴルフを楽しむことができるものである。
【００４９】
（第２の実施の形態）
図７は、本発明の第２の実施の形態に係るヘッドの側断面図であって、これを参照すれば、第２の実施の形態に係るヘッド２０は、中央に打球空間１１６が形成されるように外周縁に一定の厚さが形成され、背面の下端に重さ感が感じられるようにする重心部２１８が形成されたボディー２１０と、前記ボディー２１０の何れか一側に構成され、シャフト２の下端が挿入固定されるシャフトハウジング２２０、及び前記ボディー２１０の前面をカバーするものの一端が固定手段２５０により固定される打球膜２４０で構成される。
【００５０】
前記打球膜２４０は、弾性力が優れた軟質のゴム又はシリコンなどの合成樹脂材又は織物で形成されることが好ましい。
【００５１】
また、固定手段２５０は、前記ボディー２１０に打球膜２４０を安定的に固定できる手段であれば、何れも使用でき、ねじによる締結又はリベットによる固定方式など多様な方式が用いられることができる。
【００５２】
なお、前記打球膜２５０は、ボディー２１０の前面を取り囲みながら、先端部が前記ボディー２１０の背面に位置し、前記背面の終端が位置した打球膜２４０を固定手段２５０により固定されるように構成することが好ましい。
【００５３】
上記のように構成された第２の実施の形態のヘッド２０は、ボディー２１０をカバーする打球膜２４０によりゴルフボールを打撃する打撃面が形成されるため、前記打球膜２４０によるゴルフボールの打撃時に発生する衝撃は、打球膜２４０全体で吸収することによって、飛距離が短く、かつゴルフ者に伝達される衝撃が少ないため、ゴルフ者の手首を保護できるようになる。
【００５４】
（第３の実施の形態）
図８は、本発明の第３の実施の形態に係るヘッドの側断面図であって、これを参照すれば、第３の実施の形態に係るヘッド３０は、ボディー３１０と、前記ボディー３１０の何れかの一側に構成されるシャフトハウジング３２０と、で構成される。
【００５５】
特に、前記ヘッド３０は、成形性及び強度が優れており、軽量の合成樹脂材で形成されることが好ましい。
【００５６】
なお、前記ボディー３１０の何れかの一側には、ゴルフ者のスイング時に重さ感が感じられるように重心部３１８が形成され、前記重心部３１８は、ボディー３１０の背面の下端に形成されることが好ましい。
【００５７】
また、前記重心部３１８には、重量体の重心体３６０が形成され、この場合、ボディー３１０にインサート射出成形されることが好ましい。
【００５８】
したがって、上記のように構成された第３の実施の形態のヘッド３０は、一側に一体に形成された重心体３６０によりゴルフ者のスイング時に遠心力の作用でスイングが容易であり、また、合成樹脂の特徴である成形性及び強度でゴルフ者の身体条件に応じて多様な形状のヘッドを成形できる大衆性がある。
【００５９】
一方、前記ヘッド３１０は、上述の第１及び第２の実施の形態で提示するヘッドに同様に適用できる。
【００６０】
上述した本発明の好ましい実施の形態は、ソフトゴルフクラブ用ヘッドを実施するための１つの例示に過ぎず、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００６１】
【図１】本発明に係るソフトゴルフクラブの斜視図である。
【図２】本発明の第１の実施の形態に係るソフトゴルフクラブ用ヘッドの拡大斜視図である。
【図３】本発明の第１の実施の形態に係るソフトゴルフクラブ用ヘッドの側面図である。
【図４】本発明の第１の実施の形態に係るヘッドの側断面図である。
【図５】図４の張力調節ねじの他の実施の形態を示す側断面図である。
【図６】図５のヘッド斜視図である。
【図７】本発明の第２の実施の形態に係るヘッドの側断面図である。
【図８】本発明の第３の実施の形態に係るヘッドの側断面図である。
【符号の説明】
【００６２】
１      ゴルフクラブ
２      シャフト
１０、２０、３０      ヘッド
１１０、２１０、３１０      ボディー
１１２      顎空間
１１４      挿入孔
１１６、２１６、３１６      打球空間
１１８、２１８、３１８      重心部
１２０、２２０、３２０      シャフトハウジング
１３０      バンパー
１４０      打球ワイヤー
１５０      張力調節ねじ
２４０      打球膜
２５０      固定手段
３６０      重心体
【図１】
2009034449.tif 000003
【図２】
2009034449.tif 000004
【図３】
2009034449.tif 000005
【図４】
2009034449.tif 000006
【図５】
2009034449.tif 000007
【図６】
2009034449.tif 000008
【図７】
2009034449.tif 000009
【図８】
2009034449.tif 000010